(57)【要約】【課題】小物などの被収納物を簡単に出し入れできるポーチを提供する。【解決手段】筒状に丸編みされたダブルニット生地２０の一端３１を閉じ合せて形成した袋本体１０と、袋本体１０に収納する被収納物９９を出し入れ可能ながま口５０であって、ダブルニット生地２０の他端３２をオーバーロック加工したオーバーロック部４２を挟んだフレーム５１を含むがま口５０とを有するポーチ１であり、ダブルニット生地２０の表地２１には第１の柄９１が編み込まれている。【選択図】図２
2013034523.tif 000002
【特許請求の範囲】
【請求項１】
筒状に丸編みされたダブルニット生地の一端を閉じ合せて形成した袋本体と、
前記袋本体に収納する被収納物を出し入れ可能ながま口であって、前記ダブルニット生地の他端をオーバーロック加工したオーバーロック部を挟んだフレームを含むがま口とを有するポーチ。
【請求項２】
請求項１において、
前記ダブルニット生地の表地には第１の柄が編み込まれている、ポーチ。
【請求項３】
請求項１または２において、
前記ダブルニット生地の裏地には第２の柄が編み込まれている、ポーチ。
【請求項４】
請求項１ないし３のいずれかにおいて、
前記袋本体の前記一端にはゴアラインが形成されている、ポーチ。
【請求項５】
請求項１ないし４のいずれかにおいて、
前記ダブルニット生地は綿製である、ポーチ。
【発明の詳細な説明】
【技術分野】
【０００１】
本発明は、被収納物を出し入れできるポーチに関するものである。
【背景技術】
【０００２】
特許文献１には、不織布製袋又は透明軟質フイルム製袋の開口部の開閉を面ファスナーテープで行わせる小物入れ袋を提供することが記載されている。そのため、特許文献１には、熱可塑性合成繊維製不織布又は透明軟質フイルムを材質とする袋体部及び開口部からなる袋であって、裏面に融着性シートを固定した雌雄一組の熱可塑性樹脂製面ファスナーテープを、開口部の封口用舌片部及び袋体部の該封口用舌片部に対向する袋体部の開口縁に、雌雄それぞれのファスナーテープが融着性シートを介して対向するように配して融着固定してなることが記載されている。
【先行技術文献】
【特許文献】
【０００３】
【特許文献１】特開２００２−２４０８３５号公報
【発明の概要】
【発明が解決しようとする課題】
【０００４】
小物などの被収納物を簡単に出し入れできるポーチが求められている。
【課題を解決するための手段】
【０００５】
本発明の態様の１つは、筒状に丸編みされたダブルニット生地の一端を閉じ合せて形成した袋本体と、袋本体に収納する被収納物を出し入れ可能ながま口であって、ダブルニット生地の他端をオーバーロック加工したオーバーロック部を挟んだフレームを含むがま口とを有するポーチである。
【０００６】
このポーチは、がま口を開閉操作することにより、ワンタッチで袋本体への被収納物の出し入れを行うことができる。ダブルニット生地は、丸編み式のニット生地であるため全体が伸縮性を備えており、袋本体の形状を被収納物の形状に合わせてフィットするように変形させやすい。このため、袋本体の全体にワンタッチで被収納物を収納しやすい。さらに、袋本体の全体が中身の被収納物にフィットして変形するので、角張った被収納物を収納した場合でもそのフォルムを柔らかいシルエット（輪郭）に変化させることができる。したがって、被収納物のフォルムをワンタッチで柔らかい外観に変えられるポーチを提供できる。
【０００７】
ダブルニット生地の表地には第１の柄が編み込まれていることが望ましい。袋本体の全体が中身の被収納物にフィットして変形するので、表地に編み込まれた第１の柄を、ダブルニット生地の伸びに合わせて膨らませたり折り曲げたりできる。したがって、袋本体に被収納物を出し入れすると同時に、伸び縮みする第１の柄の変化を楽しめるポーチを提供できる。
【０００８】
ダブルニット生地の裏地には第２の柄が編み込まれていることが望ましい。袋本体に被収納物を出し入れする際に、ワンタッチで、がま口を開くと現れる第２の柄を楽しめるポーチを提供できる。
【０００９】
袋本体の一端にはゴアラインが形成されていることが望ましい。袋本体の全体が中身の被収納物にフィットして変形するので、袋本体の被収納物にフィットする部分にまちを形成できる。したがって、袋本体に１本のゴアライン（まち線）を形成することにより、複数のまちを形成しやすいポーチを提供できる。
【００１０】
ダブルニット生地は綿製であることが望ましい。袋本体が汚れても洗濯して何度でも使用することができ、通気性に優れ、吸水性にも富んでいるため、外気温度差による水滴も付きにくいポーチを提供できる。
【図面の簡単な説明】
【００１１】
【図１】ポーチの概要を示す図。
【図２】ポーチに被収納物を入れた状態を示す図。
【図３】ポーチのIII−III断面図（図２のIII−III断面）。
【図４】ポーチのがま口を開いた状態を示す図。
【図５】ポーチのV−V断面図（図２のV−V断面）。
【図６】ポーチを丸めた状態を示す図。
【発明を実施するための形態】
【００１２】
図１に、本発明に係るポーチの概要を示している。ポーチ１は、物を入れる袋本体１０と、袋本体１０から物を出し入れするためのがま口（口金）５０とを有する。
【００１３】
袋本体１０は、両端開口の円筒状に丸編みされた綿製の二重のニット生地（ダブルニット生地）２０を用いて、ダブルニット生地２０の一端３１を閉じ合わせ（縫い合わせ）、ダブルニット生地２０の他端３２にオーバーロック加工を施すことにより形成されている。本例の袋本体１０の非収納時におけるサイズは、縦１４ｃｍ、横８ｃｍ程度で、全体が扁平状に拉げた形態となっている。
【００１４】
がま口５０は、全体が金属製（非伸縮性）で、袋本体１０の他端３２を挟む門型（角型）のフレーム５１と、フレーム５１を開閉可能に支持する蝶番（ヒンジ）５２と、フレーム５１を開閉操作する玉５３とを備えている。なお、がま口５０はワンタッチで開閉操作が可能な口金（金具）を含み、たとえばマグネット式の口金であってもよく、さらに、金属製に限定されず非伸縮性の樹脂製などであってもよい。
【００１５】
ダブルニット生地２０は、二重（二層）構造の表地２１および裏地２２を含み、表地２１にはイチゴの柄（模様、第１の柄）９１が編み込まれている。袋本体１０の底部１２には、ダブルニット生地２０の一端３１を縫い合わせることにより形成された１本のゴアライン４５が表れている。なお、表地２１に編み込まれる柄９１はこれに限定されず、種々のキャラクター、イラスト、文字、図形および記号などであってもよい。
【００１６】
図２に、ポーチ１に箱型の被収納物９９を収納した状態を示している。このポーチ１は、がま口５０の玉５３を開閉操作することにより、ワンタッチで袋本体１０への被収納物９９の出し入れを行うことができる。被収納物９９の一例は、タバコや携帯電話などの箱型の被収納物である。
【００１７】
袋本体１０を構成するダブルニット生地２０は、丸編み式のニット生地であるため、全体が多方向（縦横斜め）に伸び縮み可能な優れた伸縮性を備えている。このため、非収納時における拉げた形状の袋本体１０を被収納物９９の形状および大きさに合わせてぴったりとフィットするように立体的に変形させることができる。したがって、袋本体１０の全体、特にがま口５０の近傍、すなわち袋本体１０のフレーム５１に囲まれた部分（上部）１１にもワンタッチで被収納物９９を収納できる。
【００１８】
さらに、袋本体１０の全体が中身の被収納物９９にフィットして変形するので、被収納物９９の角張った固いフォルムを、柔らかいシルエット（輪郭）に変化させることができる。したがって、被収納物９９のフォルムをワンタッチで柔らかく温かみのある外観（デザイン）に変えられるポーチ１を提供できる。
【００１９】
さらに、袋本体１０の全体が中身の被収納物９９にフィットして変形するので、表地２１に編み込まれた柄９１を、ダブルニット生地２０の伸びに合わせて膨らませたり折り曲げたりできる。したがって、袋本体１０に被収納物９９を出し入れすると同時に、伸び縮みする柄９１の変化を楽しめるポーチ１を提供できる。このため、このポーチ１を使用するユーザーは、被収納物９９のシルエットの変化に伴う柄９１の変化をファッション感覚で楽しむことができる。
【００２０】
袋本体１０を構成するダブルニット生地２０は、綿製で柔らかくきめが細かいので、手触り（肌触り）がよく、被収納物９９の出し入れも抵抗なくスムーズに行いやすい。さらに、ダブルニット生地２０は綿製なので、袋本体１０が汚れても洗濯して何度でも使用することができる。また、ダブルニット生地２０は綿製なので、通気性に優れ、吸水性にも富んでいるため、外気温度差による水滴も付きにくい。
【００２１】
なお、被収納物９９はタバコや携帯電話などに限定されず、口紅、印鑑およびサプリメントケース（薬入れ）などの小物類、スマートフォンなどの携帯端末、デジタルカメラ、ペットボトルなどであってもよい。また、被収納物９９の形状は箱型に限定されず、球形、角錘形、円錐形などであってもよく、種々の形状の被収納物９９にフィットして袋本体１０の形状を変形させることができ、種々の形状の被収納物９９のフォルムを柔らかいシルエットに変化させることができる。
【００２２】
図３に、ポーチ１をIII−III断面図（図２のIII−III断面）により示している。なお、図３では、被収納物９９を点線で示している。袋本体１０を構成するダブルニット生地２０は、表地２１および裏地２２を重ね合わせた二重（二層）構造であるため、丈夫で柔らかく弾力性があり、切れたり破れたりしにくい。このため、袋本体１０の外部１０ａからの外力に対して内部１０ｂの被収納物９９を保護するクッションとして機能し、携帯端末やデジタルカメラなどの電子機器への衝撃も緩和できる。さらに、ダブルニット生地２０は表地２１および裏地２２とも綿製なので、スマートフォンなどの画面の汚れを拭いとることもできる。
【００２３】
表地２１および裏地２２は、全周にわたり縫い目や切れ目がなく連続的に丸編みされており、全体が均一の伸縮力を備えている。このため、このダブルニット生地２０は、箱型の被収納物９９の形状に合わせてほぼ四角筒状に変形し、裏地２２と被収納物９９との間に隙間９０がほぼ発生しない状態でフィットさせることができる。したがって、袋本体１０の内部１０ｂで被収納物９９がずれたり、傾いたりすることなく、被収納物９９を安定した状態で保持できる。さらに、袋本体１０の全体が中身の被収納物９９にフィットして変形するので、がま口５０を開いても内部１０ｂの被収納物９９が外部１０ａに飛び出すことを抑制できる。
【００２４】
このダブルニット生地２０の一端３１、すなわち表地２１および裏地２２を重ね合わせた一端３１には、ほつれを防止するためにロックミシンによりオーバーロック加工（二重縫い）が施された第１のオーバーロック部４１が形成されている。第１のオーバーロック部４１は、袋本体１０の外部１０ａに表れないように内部１０ｂの底部１２に配置されている。したがって、表地２１にゴアライン４５が表れる以外に、余計な縫い目などが一切ないシンプルで、すっきりとした外観のポーチ１を提供できる。
【００２５】
このポーチ１は、袋本体１０の全体が中身の被収納物９９にフィットして変形するので、被収納物９９の右側面９９ａ、左側面９９ｂおよび底面９９ｃにフィットする部分にまち３５を形成できる。したがって、袋本体１０の底部１２に１本のゴアライン（まち線）４５を形成することにより、複数のまち３５を形成できるポーチ１を提供しやすい。
【００２６】
図４に、ポーチ１のがま口５０を開いた状態を示している。袋本体１０を構成するダブルニット生地２０は、全体が均一の柔軟性および伸縮性を備えており、がま口５０のフレーム５１は蝶番５２を支点として２７０度程度まで開くので、被収納物９９の出し入れがしやすい。
【００２７】
このダブルニット生地２０は二重構造であるため、裏地２２の全体、特に裏地２２の
フレーム５１に囲まれた部分１１にも表地２１とは独立した、たとえばハート形の柄（第２の柄）９２を編み込むことができる。したがって、袋本体１０に被収納物９９を出し入れする際に、ワンタッチで、がま口５０を開くと現れる柄９２を楽しめるポーチ１を提供できる。
【００２８】
このダブルニット生地２０の他端３２には、オーバーロック加工が施された第２のオーバーロック部４２が形成されている。袋本体１０は、第２のオーバーロック部４２をフレーム５１に挟み込むことによりがま口５０に取り付けられている。一方、第２のオーバーロック部４２と蝶番５２とは非接触の状態となっており、フレーム５１の開閉動作の繰り返しによりダブルニット生地２０に局所的な外力（負荷）が加わることを抑制できる。
【００２９】
図５に、ポーチ１をV−V断面図（図２のV−V断面）により示している。ダブルニット生地２０の他端３２に形成された第２のオーバーロック部４２は、二重縫いにより表地２１および裏地２２を重ね合わせた厚さよりも若干太くなっている。このため、この第２のオーバーロック部４２をフレーム５１の内部５１ａに挟み込むことにより、他端３２ががま口５０から外れることを抑制できる。さらに、フレーム５１の内部５１ａで第２のオーバーロック部４２を挟み込むことにより、フレーム５１の端部５１ｂでダブルニット生地２０を締め付ける必要がないため、ダブルニット生地２０の破れを抑制しやすい。
【００３０】
ダブルニット生地２０は、第１および第２のオーバーロック部４１、４２を除いて全周にわたり縫い目や切れ目がなく連続的に丸編みされている。さらに、第１および第２のオーバーロック部４１、４２は、袋本体１０の中心軸（中心部）１３の、上下方向（縦方向）１００に対向する互いに最も離れた位置に形成されている。このため、第１および第２のオーバーロック部４１、４２を除く袋本体１０の全体を左右対称（前後対称）の形状にできるので、ダブルニット生地２０の全体を均等に伸縮させやすい。したがって、袋本体１０の全体を中身の被収納物９９にフィットして歪みなく変形させることができるので、バランスのとれたまとまりのある外観のポーチ１を提供しやすい。
【００３１】
さらに、第１および第２のオーバーロック部４１、４２を袋本体１０の底部１２および上部１１の互いに対向する最も離れた位置に配置しているので、袋本体１０の変形に伴うダブルニット生地２０の伸縮力（応力）を袋本体１０の全体に均等に分散させやすい。したがって、袋本体１０の全体にわたり均一の耐久性を備えた、丈夫で破れにくいポーチ１を提供しやすい。
【００３２】
図６に、ポーチ１を丸めた状態を示している。このポーチ１は、袋本体１０の全体が柔らかく、多方向（縦横斜め）に伸び縮み可能な優れた伸縮性を備えているため、非収納時において縦方向１００にくるくると丸めたり、折り畳んだりすることができる。このため、このポーチ１の不使用時には、図６に示すように小さく丸めてバックなどに収納することにより、バックの中で嵩張らず場所をとることもなくコンパクトにしまうことができる。したがって、使用時には袋本体１０の全体にワンタッチで被収納物９９を収納可能で、不使用時にはコンパクトに持ち運び可能なポーチ１を提供できる。
【００３３】
なお、本例の袋本体１０は、丸編み式の二重のニット生地２０により形成されているため、表地２１および裏地２２に現れる柄９１、９２は編み込まれていることが好ましく、網目（ハイゲージ、ローゲージ）および針数を適宜変更することにより多彩な表現が可能である。また、柄９１および９２は編み込み式に限定されず、ラバー転写プリントやインクジェット印刷により表すこともできる。さらに、袋本体１０が丸編み式のダブルニット生地２０により形成されているため、表地２１および裏地２２に刺繍やワッペンなどを縫い付けることも可能であり、多彩な表現方法を採用できる。
【符号の説明】
【００３４】
１  ポーチ
１０  袋本体
５０  がま口
【図１】
2013034523.tif 000003
【図２】
2013034523.tif 000004
【図３】
2013034523.tif 000005
【図４】
2013034523.tif 000006
【図５】
2013034523.tif 000007
【図６】
2013034523.tif 000008